(57)【要約】【課題】テレビジョン信号受信装置からコンポジット映像信号以外のＡＧＣ信号等を取得することなく，受信状態に応じて映像の表示状態を調整する。【解決手段】テレビジョン信号受信装置からコンポジット映像信号の入力を受けるテレビジョン信号処理装置であって，前記コンポジット映像信号から分離された同期信号との位相差に基づき，前記同期信号に同期した前記クロック信号を生成するＰＬＬ回路と，前記コンポジット映像信号から分離された映像信号を調整する映像信号調整部とを有する。前記映像信号調整部は，前記位相差の積分値に応じ，前記映像信号の色濃度または輝度を調整する。【選択図】図１
2007324698.tif 000002
【特許請求の範囲】
【請求項１】
テレビジョン信号受信装置からコンポジット映像信号の入力を受けるテレビジョン信号処理装置であって，
前記コンポジット映像信号から分離された同期信号との位相差に基づき，前記同期信号に同期したクロック信号を生成するＰＬＬ回路と，
前記コンポジット映像信号から分離された映像信号を調整する映像信号調整部とを有し，
前記映像信号調整部は，前記位相差の積分値に応じ，前記映像信号の色濃度または輝度を調整することを特徴とするテレビジョン信号処理装置。
【請求項２】
請求項１において，
前記映像信号調整部は前記色濃度及び輝度を，前記積分値が第１の値のときは前記色濃度が第１の濃度，前記輝度が第１の輝度に，前記積分値が前記第１の値より大きい第２の値のときは前記色濃度は前記第１の濃度より小さい第２の濃度，前記輝度は前記第１の輝度より大きい第２の輝度にそれぞれ調整することを特徴とするテレビジョン信号処理装置。
【発明の詳細な説明】
【技術分野】
【０００１】
本発明は，コンポジット映像信号を処理するテレビジョン信号処理装置に関し，特に，ＰＬＬ回路の基準信号と比較信号との位相差に応じて映像信号を調整することを特徴とするテレビジョン信号処理装置に関する。
【背景技術】
【０００２】
近年，車両に搭載される車載テレビジョン装置が広く普及している。車載テレビジョン装置では，車両の移動に伴い受信する電波の電界強度が変化し，電界強度に応じてテレビジョン信号の受信状態も変化する。すなわち，電界強度が弱くなるとテレビジョン信号の受信状態が悪化し，受信状態が悪化するとノイズの影響により表示映像の品質の劣化が生じる。例えば，本来の色とは異なった色の映像が画面に表示される。
【０００３】
こうした映像品質の劣化に対処する方法の１つとして，テレビジョン信号の受信状態が一定のレベルを下回った場合に映像の色を消してしまう「カラーキラー」機能が知られている。また，カラーキラー機能が有効となるまでの範囲の受信状態においても，テレビジョン信号から分離される映像信号を受信状態に応じて調整し，受信状態の悪化に伴う映像の表示品質劣化を軽減する方法が特許文献１に記載されている。
【０００４】
この方法では，受信状態を検知する手段として，テレビジョン信号を受信するチューナの増幅器などのゲインを制御するＡＧＣ（自動利得制御装置）信号が利用される。受信状態が悪化すると増幅器のゲインが低下するので，ＡＧＣはより大きなゲインを得るＡＧＣ信号を出力する。よって，このＡＧＣ信号に応じて映像信号の調整が行われる。
【特許文献１】特開２００２−３５４４９５号公報
【発明の開示】
【発明が解決しようとする課題】
【０００５】
ところで，車載テレビジョン装置は，テレビジョン信号を受信してコンポジット映像信号を出力するフロントエンド回路（テレビジョン信号受信装置），コンポジット映像信号を処理して映像の表示に必要な各種信号を出力するテレビジョン信号処理装置，及び出力された各種信号に基づき映像や音声を出力する出力装置により構成される。そして，上記のＡＧＣはテレビジョン信号受信装置に設けられており，映像信号の調整はテレビジョン信号処理装置で行われる。よって，上記従来例では，テレビジョン信号受信装置からテレビジョン信号処理装置へＡＧＣ信号を入力するような回路構成が必要となる。
【０００６】
しかしながら，テレビジョン信号受信装置とテレビジョン信号処理装置は，ユーザの目的や嗜好によって適宜に組み合わせて用いられることも多く，ＡＧＣ信号を出力する回路構成を有していないテレビジョン信号受信装置からテレビジョン信号処理装置がＡＧＣ信号を取得することは困難となる。また，ＡＧＣ信号を出力する回路構成を有しているテレビジョン信号受信装置からＡＧＣ信号をテレビジョン信号処理装置へ入力する場合であっても，配線が増加して煩雑となる。
【０００７】
そこで，本発明の目的は，テレビジョン信号受信装置からコンポジット映像信号以外のＡＧＣ信号等を取得することなく，受信状態に応じて映像の表示状態を調整するようなテレビジョン信号処理装置を提供することにある。
【課題を解決するための手段】
【０００８】
上記の目的を達成するために，本発明の第１の側面によれば，テレビジョン信号受信装置からコンポジット映像信号の入力を受けるテレビジョン信号処理装置であって，前記コンポジット映像信号から分離された同期信号との位相差に基づき，前記同期信号に同期したクロック信号を生成するＰＬＬ回路と，前記コンポジット映像信号から分離された映像信号を調整する映像信号調整部とを有し，前記映像信号調整部は，前記位相差の積分値に応じ，前記映像信号の色濃度または輝度を調整することを特徴とする。
【０００９】
上記第１の側面において，ＰＬＬ回路は，コンポジット映像信号から分離された同期信号の整数倍の周波数を有するクロック信号を出力し，そのクロック信号の分周信号をフィードバックする。そして，ＰＬＬ回路は，同期信号とフィードバックされた信号との位相差に基づき，最終的に同期信号とクロック信号とが同期するように制御する。あるいは，同期信号と同じ周波数のクロック信号をフィードバックするようにＰＬＬ回路を構成してもよい。いずれの場合も，同期信号とフィードバックされた信号との位相差はテレビジョン信号の受信状態を反映しているので，その位相差の積分値に応じて映像信号調整部が映像の表示状態を調整することにより，テレビジョン信号処理装置はテレビジョン信号受信装置からコンポジット映像信号以外のＡＧＣ信号等の入力を受けなくても，受信状態に応じた表示状態の調整が可能となる。
【発明の効果】
【００１０】
本発明によれば，テレビジョン信号処理装置は，テレビジョン信号受信装置からコンポジット映像信号以外のＡＧＣ信号等の入力を受けなくても，受信状態に応じた表示状態の調整が可能となる。  
【発明を実施するための最良の形態】
【００１１】
以下，図面にしたがって本発明の実施の形態について説明する。但し，本発明の技術的範囲はこれらの実施の形態に限定されず，特許請求の範囲に記載された事項とその均等物まで及ぶものである。  
【００１２】
図１は，本実施の形態におけるテレビジョン信号処理装置の構成を説明する図である。テレビジョン信号処理装置２００は，テレビジョン信号受信装置１００から入力されるコンポジット映像信号ＣＭＶＳを処理してＲＧＢ信号ＲＧＢを生成し，表示装置４００へ出力する。テレビジョン信号受信装置１００，テレビジョン信号処理装置２００，表示装置４００は車両に搭載されるテレビジョン装置を構成する。
【００１３】
テレビジョン信号受信装置１００では，アンテナ１１が受信した高周波（周波数帯域９０〜７００ＭＨｚ）のテレビジョン信号から，チューナ１０がユーザにより選択されたチャネルの周波数帯域を抽出して中間周波信号に変換する。チューナ１０から出力される中間周波信号は中間周波信号増幅器１２により増幅され，映像検波器１４に入力される。映像検波器１４は，中間周波信号から被搬送信号である映像中間周波信号を抽出する。
【００１４】
映像中間周波信号の一部はＡＧＣ（Ａｕｔｏｍａｔｉｃ Ｇａｉｎ Ｃｏｎｔｒｏｌ）２０へ入力され，一部は映像増幅器１６により増幅されてコンポジット映像信号ＣＭＶＳとしてテレビジョン信号処理装置２００へ出力される。ＡＧＣ２０は，映像検波器１４の出力を一定に保つため，映像検波器１４から入力された映像中間周波信号に基づき，チューナ１０及び中間周波信号増幅器１２のゲインを制御する。
【００１５】
テレビジョン信号処理装置２００では，映像増幅器１６からのコンポジット映像信号ＣＭＶＳをＹＣ分離部２２と同期分離回路３０が受ける。ＹＣ分離部２２は，まず色信号Ｃを所定の通過帯域で帯域フィルタを通過させることによりこれをコンポジット映像信号ＣＭＶＳから分離し，コンポジット映像信号ＣＭＶＳから色信号Ｃを減算することにより輝度信号Ｙを分離する。
【００１６】
分離された輝度信号Ｙは，輝度調整部２５で一定のゲインに調整されてからマトリクス回路２６に入力される。また，色信号Ｃは色復調部２４に入力され，色復調部２４は色信号Ｃを青色差信号と赤色差信号（以下，２つの信号を色差信号ＣＤＳという）とに分離して色濃度調整部２７へ入力する。色濃度調整部２７は，色差信号ＣＤＳをゲインが一定となるように調整し，マトリクス回路２６に入力する。
【００１７】
マトリクス回路２６は，入力される輝度信号Ｙ，色差信号ＣＤＳに対応するＲＧＢ信号ＲＧＢを生成し，ＲＧＢ調整部４０に入力する。ＲＧＢ調整部４０はＲＧＢ信号ＲＧＢのブライトネス，コントラストなどの特徴量を調整して表示部４００へ出力する。また，ＲＧＢ調整部４０は内蔵の記憶装置にガンマ補正テーブル４２を格納しており，ガンマ補正テーブル４２を参照して表示装置４００のハード特性を補正するように調整したＲＧＢ信号ＲＧＢを表示部４００へ出力する。
【００１８】
同期分離回路３０は，入力されたコンポジット映像信号ＣＭＶＳから水平同期信号ＨＳと垂直同期信号ＶＳとを取り出し，水平同期信号をＰＬＬ回路３２に，垂直同期信号ＶＳは位相差積分回路３４に入力する。ＰＬＬ回路３２は，水平同期信号ＨＳと同期したシステムクロックＣＬＫを生成して表示装置４００へ出力する。その際，ＰＬＬ回路３２は，入力される水平同期信号ＨＳを基準信号として，この基準信号とシステムクロックＣＬＫの分周信号との位相差に基づいて，後述するフィードバック制御を行う。そして，表示部４００はシステムクロックＣＬＫに基づいてＲＧＢ信号ＲＧＢに対応する映像を表示する。
【００１９】
上記構成の車載テレビジョン装置では，車両の移動に伴い受信電波の電界強度が変化する。電界強度の変化に応じてテレビジョン信号受信装置１００が受信するテレビジョン信号の受信状態も変化し，受信状態が悪化するとテレビジョン信号におけるノイズの割合が増大する。そして輝度信号Ｙや色差信号ＣＤＳにノイズが混入すると，表示装置４００に本来の色と異なる色の映像が表示されるなど，映像の表示品質が劣化する。
【００２０】
そこで，本実施形態のテレビジョン信号処理装置は，テレビジョン信号の受信状態に応じて輝度信号Ｙや色差信号ＣＤＳ，またはこれらの信号に基づくＲＧＢ信号ＲＧＢなどの映像信号を調整することにより映像の表示品質の劣化を軽減する。その際，テレビジョン信号の受信状態を検知する手段として，ＰＬＬ回路３２で水平同期信号ＨＳとシステムクロックＣＬＫを分周した信号との位相差を位相差積分回路３４で積分し，その積分値を用いる。すなわち，位相差積分回路３４は位相差の積分値を制御部２８へ出力し，制御部２８はその積分値に応じて輝度調整部２５，色濃度調整部２７，ＲＧＢ調整部４０の動作を制御して映像信号の調整を行う。よって，制御部２８，輝度調整部２５，色濃度調整部２７，ＲＧＢ調整部４０が映像信号調整部に対応する。
【００２１】
図２は，ＰＬＬ回路３２等の構成を説明する図であり，図３はＰＬＬ回路３２等で処理される信号を説明する図である。図２，図３を用いて，ＰＬＬ回路３２及び位相差積分回路３４の動作を説明する。
【００２２】
このＰＬＬ回路３２では，コンポジット映像信号ＣＭＶＳから同期分離回路３０により分離された水平同期信号ＨＳ（図３（１））の整数倍の周波数を有するクロック信号が，システムクロックＣＬＫとしてＶＣＯ（電圧制御発振器）５３により生成される。そして，システムクロックＣＬＫは分周器５４により整数分の１に分周されて比較信号ＨＳＹ（図３（２））としてフィードバックされる。
【００２３】
位相差検出器５１は，水平同期信号ＨＳを基準信号として，フィードバックされた比較信号ＨＳＹとの位相を比較し，位相差に応じたパルス幅の位相差検出パルスＤＰ（図３（３））をローパスフィルタ５２と位相差積分回路３４に入力する。ローパスフィルタ５２は，入力された位相差検出パルスＤＰを積分して，そのパルス幅に対応した制御電圧をＶＣＯ（電圧制御発振器）５３に入力する。そして，ＶＣＯ５３は入力された電圧に応じて周波数を変化させたシステムクロックＣＬＫを出力する。
【００２４】
すなわち，水平同期信号ＨＳと比較信号ＨＳＹの位相差が大きい場合は，位相差検出パルスＤＰのパルス幅は大きくなるので，ローパスフィルタ５２からＶＣＯに入力される電圧は高くなり，これに応じてＶＣＯが発振するシステムクロックの周波数は高くなる。そして，最終的にシステムクロックＣＬＫが水平同期信号ＨＳと同期するように制御される。
【００２５】
このように，テレビジョン信号の受信状態が良好なときは水平同期信号ＨＳの位相が安定しているので，水平同期信号ＨＳと比較信号ＨＳＹとの位相差は上記動作により縮小され，最終的には位相差が無くなり，システムクロックＣＬＫが水平同期信号ＨＳと同期する。しかし，テレビジョン信号の受信状態が悪化すると，コンポジット映像信号ＣＭＶＳにおける相対的なノイズ成分量が多くなるので，同期分離回路３０が水平同期信号ＨＳを分離する際に信号のパルスが欠けたり，不要なパルスが混入したりする。そうすると，位相差検出器５１へ入力される水平同期信号ＨＳの位相が乱れ，水平同期信号ＨＳと比較信号ＨＳＹとの位相差が拡大される。よって，本実施形態では位相差積分回路３４で位相差検出パルスＤＰを積分し，その積分値を受信状態に対応したパラメータとして制御部２８へ出力し，制御部２８は積分値に応じて映像信号の調整を行う。
【００２６】
位相差積分回路３４は，同期分離回路３０から入力される垂直同期信号ＶＳ（図３（５））をリセット信号として，垂直同期信号区間ｎ，ｎ＋１，ｎ＋２，・・・ごとに位相差検出パルスＤＰを加算し（図３（４）），その加算結果ＰＤ（ｎ）を次の式１により積分して，積分値ｄＰＤ（ｎ）を算出する（図３（６））。
【００２７】
式１：  ｄＰＤ（ｎ）＝（１／４）ＰＤ（ｎ）＋（３／４）ｄＰＤ（ｎ−１）
すなわち，垂直同期信号区間ｎにおける位相差の積分値ｄＰＤ（ｎ）は，１つ前の垂直同期信号区間（ｎ−１）までの積分値ｄＰＤ（ｎ−１）と，垂直同期信号区間ｎの位相差の加算結果ＰＤ（ｎ）とにそれぞれ係数を乗じて加算して求められ，垂直同期信号区間ｎにおける位相差の加算結果ＰＤ（ｎ）が一定量以上でないと積分値ｄＰＤ（ｎ）は減少する。よって，積分値ｄＰＤ（ｎ）が増加するときは垂直同期信号区間での位相差の加算結果ＰＤ（ｎ）が一定以上であるので受信状態が悪い状態に対応し，位相差の積分値ｄＰＤ（ｎ）が減少するときは位相差の加算結果ＰＤ（ｎ）が一定量を下回るので受信状態が良好な状態に対応する。
【００２８】
よって，制御部２８では，図３（６）に示す位相差の積分値ｄＰＤ（ｎ）が閾値Ｔｈｖ以下の間は通常の映像信号の調整を行い，閾値Ｔｈｖを超える場合（ｄＰＤ（ｎ＋１）〜ｄＰＤ（ｎ＋３），ｄＰＤ（ｎ＋５）〜ｄＰＤ（ｎ＋８））は受信状態が悪い場合の映像信号の調整を行う。
【００２９】
このようにして，本実施形態のテレビ信号処理装置２００は，テレビジョン信号受信装置１００から入力されるコンポジット映像信号ＣＭＶＳから分離される水平同期信号ＨＳと，ＰＬＬ回路３２が生成する比較信号ＨＳＹとの位相差の積分値ｄＰＤ（ｎ）を用いることにより，それ以外の信号をテレビジョン信号受信装置から受信しなくても，テレビジョン信号の受信状態に応じて映像の輝度や色濃度を調整することができる。また，位相差積分回路３４は，垂直同期信号区間ごとの位相差の加算結果ＰＤ（ｎ）を積分するので，積分値ｄＰＤ（ｎ）が閾値Ｔｈｖを超えるタイミングは垂直同期信号ＶＳとほぼ一致する。よって，映像信号の調整は映像の１フレーム分の走査が開始される時に行われ，映像を見たときの違和感が少なくなる。
【００３０】
図４は，位相差の積分値ｄＰＤ（ｎ）と映像信号調整部により調整される映像信号との関係を説明する図である。図４（Ａ）は位相差積分回路３４の出力する位相差の積分値ｄＰＤ（ｎ）に応じて制御部２８が色濃度を調整する場合を示している。制御部２８は色濃度調整部２４を制御して，位相差積分値ｄＰＤ（ｎ）が閾値Ｔｈｖ以下の場合は色差信号ＣＤＳのゲインを一定に保ち，閾値Ｔｈｖを超えると，位相差積分値ｄＰＤ（ｎ）の増加に応じて色差信号ＣＤＳのゲインを低下させる。
【００３１】
例えば，制御部２８はＣＰＵ３５に積分値ｄＰＤ(ｎ)を入力し，ＣＰＵ３５が記憶装置３６に格納された処理プログラムに従って，積分値ｄＰＤ（ｎ）に応じて色差信号ＣＤＳに乗算する係数を算出する。そして，制御部２８はＣＰＵ３５から受け取った係数を色濃度調整部２４に入力し，色濃度調整部２４がこの係数を色差信号ＣＤＳに乗算して色差信号ＣＤＳのゲインを調整する。あるいは，制御器２８は記憶装置２９に位相差の積分値に応じた係数を格納したテーブルを格納し，このテーブルから位相差の積分値ｄＰＤ（ｎ）に対応した係数を抽出して色濃度調整部２７に入力してもよい。
【００３２】
このようにして，位相差の積分値ｄＰＤ（ｎ）が大きい場合，つまりテレビジョン信号の受信状態が不良の場合は，表示される映像の色を薄くすることができ，本来と異なる色が出力されるなどの表示品質の劣化を目立たなくすることができる。なお，積分値ｄＰＤ（ｎ）がさらに値Ｔｈｖ２に達したときは，色濃度調整部２７は色差信号ＣＤＳのゲインをゼロにして色差信号ＣＤＳがマトリクス回路２６に入力されないようにし，映像の色を消すカラーキラーを行うこともできる。
【００３３】
図４（Ｂ）は，位相差積分回路３４の出力する位相差の積分値ｄＰＤ（ｎ）に応じて制御部２８が輝度を調整する場合を示している。テレビジョン信号の受信状態が悪くなると，輝度信号の電圧が小さくなるため，映像の輝度が低下する。そこで，制御部２８は，輝度調整部２５を制御し，位相差積分値ｄＰＤ（ｎ）が閾値Ｔｈｖ以下の間は輝度信号Ｙのゲインを一定に保ち，閾値Ｔｈｖを超えると位相差積分値ｄＰＤ（ｎ）の増加に応じて輝度信号Ｙのゲインを増加させる。
【００３４】
例えば，制御部２８はＣＰＵ３５に積分値ｄＰＤ(ｎ)を入力し，ＣＰＵ３５が記憶装置３６に格納された処理プログラムに従って，積分値ｄＰＤ（ｎ）に応じて輝度信号Ｙに乗算する係数を計算する。そして，制御部２８はＣＰＵ３５から受け取った係数を輝度調整部２５に入力し，輝度調整部２５がこの係数を輝度信号Ｙに乗算して輝度信号Ｙのゲインを増大させる。あるいは，制御部２８は記憶装置２９に積分値ｄＰＤ（ｎ）に対応した係数を格納したテーブルを保持しておき，このテーブルから抽出した係数を輝度調整部２５に入力してもよい。
【００３５】
そうすることにより，テレビ信号処理装置２００は積分値に応じて映像の輝度調整を行うことができる。つまりテレビジョン信号の受信状態が不良の場合でも，表示される映像の輝度を一定程度に保つことができる。
【００３６】
なお，上記の色差信号ＣＤＳのゲインを減少させる動作と，輝度信号Ｙのゲインを増加させる動作とは，いずれか１つを行っても良く，両方を行っても良い。両方を行うことにより，テレビジョン信号処理装置２００は，受信状態が悪化した場合に，受信状態に応じて，色の乱れを目立たせずにある程度の輝度のある映像を表示装置４００に表示することができる。また，次に述べるように，テレビジョン信号処理装置２００はＲＧＢ調整部４２でＲＧＢ信号ＲＧＢのコントラスト，ブライトネスといった特徴量を調整することによっても，映像の色の濃度を調整することができる。
【００３７】
図５は，ＲＧＢ調整部４０により調整されるＲＧＢ信号ＲＧＢを説明する図である。図５（Ａ）は，ＲＧＢ調整部４０に入力されるＲＧＢ信号のうちＲ信号の入力信号が示す階調値Ｒｉｎ（０〜２５５）と，出力信号が示す階調値Ｒｏｕｔ（０〜２５５）との関係を示している。ＲＧＢ調整部は，入力階調値Ｒｉｎから次式Ｆ２で出力階調値Ｒｏｕｔを算出する。
【００３８】
式Ｆ２：  Ｒｏｕｔ＝（ｃｏｎｔ／６４）×Ｒｉｎ＋（ｂｒｔ−６４）
ここで，係数ｃｏｎｔ（０〜１２７）はコントラストに対応した係数であり，係数ｂｒｔ（０〜１２７）はブライトネスに対応した係数である。すなわち，入力階調値と出力階調値が等しい状態（直線Ｌ１）に対し，係数ｃｏｎｔが増加すると入力階調値の変化量に比べて出力階調値の変化量がより大きくなるので映像の色の明暗が鮮明となり，逆に減少すると映像の色の明暗が不鮮明となる（直線Ｌ２）。また，係数ｂｒｔが増加すると，出力階調値全体が増加するので，映像全体の色が明るくなり（直線Ｌ３），逆に減少すると色が暗くなる。
【００３９】
図５（Ｂ）は，位相差積分回路３４の出力する位相差の積分値ｄＰＤ（ｎ）に応じて制御部２８がＲＧＢ調整部４０に入力する係数ｃｏｎｔ，係数ｂｒｔとの関係を示す図である。制御部２８は位相差積分値ｄＰＤ（ｎ）が閾値Ｔｈｖ以下の場合は係数ｃｏｎｔの値，係数ｂｒｔの値ともに「６４」に保ち，入力階調値Ｒｉｎと出力階調値Ｒｏｕｔが等しくなるようにする（図５（Ａ）の直線Ｌ１）。そして，位相差積分値ｄＰＤ（ｎ）が閾値Ｔｈｖを超えると，制御器２８は係数ｃｏｎｔを減少させるとともに係数ｂｒｔを増加させ，これら係数をＲＧＢ調整部４０へ入力し，ＲＧＢ調整部４０に各係数に基づくＲ，Ｇ，Ｂの出力信号を求める演算処理を実行させる。
【００４０】
例えば，制御部２８はＣＰＵ３５に積分値ｄＰＤ(ｎ)を入力し，ＣＰＵ３５が記憶装置３６に格納された処理プログラムに従って積分値ｄＰＤ（ｎ）に応じた各係数を算出し，ＲＧＢ調整部４０が各係数による演算処理を実行する。あるいは，制御部２８は記憶装置２９に積分値ｄＰＤ（ｎ）に係数ｃｏｎｔ，係数ｂｒｔを対応付けたテーブルを保持しておき，積分値ｄＰＤ（ｎ）に応じた係数を抽出してＲＧＢ調整部４０へ供給してもよい。
【００４１】
このような調整をＲ，Ｇ，Ｂの各色について行うことにより，テレビジョン信号処理装置２００はテレビジョン信号の受信状態に応じた映像の表示品質の劣化を軽減することができる。すなわち，明暗の差を抑制しつつ明るい色の映像が表示装置４００に表示されるように，映像の色の濃度を調整できる。また，かかる調整量をＲ，Ｇ，Ｂごとに異ならせることにより，いずれかの色を他の色より強く（弱く）するなど映像の色合いを調整することもできる。
【００４２】
上述した色差信号ＣＤＳの色濃度調整，輝度信号Ｙの輝度調整，ＲＧＢブライトネス及びコントラストの調整は，それぞれ個別に行ってもよいし，いずれかを組み合わせて行うこともできる。
【００４３】
また，ＲＧＢ調整部４０はＲＧＢ信号のガンマ補正を行う際に，ガンマ補正テーブル４２を参照する。このガンマ補正テーブル４２は，ＲＧＢ全階調値にわたって表示装置４００のハード特性を補正するために構成され，例えば図６に示すように，入力されるＲＧＢ信号ＲＧＢの階調値（Ｒ１，Ｇ１，Ｂ１）に対して出力される階調値（Ｒ２，Ｇ２，Ｂ２）が対応づけられている。階調値（Ｒ１，Ｇ１，Ｂ１）のＲＧＢ信号の代わりに，ガンマ補正テーブル４２において階調値（Ｒ１，Ｇ１，Ｂ１）に対応づけられた階調値（Ｒ２，Ｇ２，Ｂ２）のＲＧＢ信号を表示装置４００に入力することにより，実際に表示装置４００は階調値（Ｒ１，Ｇ１，Ｂ１）の映像を出力することができる。
【００４４】
そこで，ＲＧＢ調整部４０は，積分値ｄＰＤ（ｎ）が閾値Ｔｈｖ以下のときはガンマ補正テーブル４２を用いて，マトリクス回路２６が生成したＲＧＢ信号に対して，表示装置４００のハード特性を補正する通常のガンマ補正を行う。そして，積分値ｄＰＤ（ｎ）が閾値Ｔｈｖを上回るときはＲＧＢ調整部４０は，入力されるＲＧＢ信号ＲＧＢの階調値（Ｒ１，Ｇ１，Ｂ１）に対して，表示装置４００のハード特性を補正しつつ色の濃度を調整した出力階調値（Ｒ２±ｒ，Ｇ２±ｇ，Ｂ２±ｂ）が得られるように構成された第２のガンマ補正テーブル４２ｂを用いて，ＲＧＢ信号ＲＧＢの補正を行う。
【００４５】
あるいは，制御部２８はＣＰＵ３５に積分値ｄＰＤ(ｎ)を入力し，ＣＰＵ３５が記憶装置３６に格納された処理プログラムに従って，積分値ｄＰＤ（ｎ）に応じ，入力階調値（Ｒ１，Ｇ１，Ｂ１）に対応する色の濃度を調整した出力階調値（Ｒ２±ｒ，Ｇ２±ｇ，Ｂ２±ｂ）を計算し，計算結果をＲＧＢ調整部４０へ供給するようにしてもよい。
【００４６】
そうすることにより，受信状態が良好なときには表示装置４００のハード特性を補正した映像出力を得ることができ，受信状態が悪化したときには，映像の表示品質の劣化を軽減することができる。 
【００４７】
以上の実施形態において，制御部２８の記憶装置２９を書換え可能な記憶装置で構成し，記憶装置２９に格納された，輝度調整部２５に供給する係数を格納したテーブル，色濃度調整部２７に供給する係数を格納したテーブル，ＲＧＢコントラスト，ブライトネスの各係数を格納したテーブル，あるいは積分値ｄＰＤ（ｎ）とガンマ補正テーブル４２，４２ｂとの対応付けを格納したテーブルのデータは適宜に設定可能としてもよい。そうすることにより，工場出荷時などにテレビジョン信号処理装置のハード特性に応じた最適なデータを設定することができる。
【００４８】
なお，上述したテレビジョン信号処理装置は，車両以外の移動体や携帯機器に搭載することも可能であり，移動に伴って受信状態が悪化したときに，映像の表示品質の劣化を軽減することができる。
【００４９】
以上説明したとおり，本実施の形態におけるテレビジョン信号処理装置によれば，テレビジョン信号受信装置からコンポジット映像信号以外のＡＧＣ信号等を取得することなく，受信状態に応じて映像の表示状態を調整することができる。
【図面の簡単な説明】
【００５０】
【図１】本実施の形態におけるテレビジョン信号処理装置の構成を説明する図である。
【図２】ＰＬＬ回路３２等の構成を説明する図である。
【図３】ＰＬＬ回路３２等で処理される信号を説明する図である。
【図４】位相差の積分値ｄＰＤ（ｎ）と映像信号調整部により調整される映像信号との関係を説明する図である。
【図５】ＲＧＢ調整部４０により調整されるＲＧＢ信号ＲＧＢを説明する図である。
【図６】ガンマ補正テーブル４２を説明する図である。
【符号の説明】
【００５１】
１００：テレビジョン信号受信装置          ２００：テレビジョン信号処理装置
３２：ＰＬＬ回路                          ２８：制御部
２４：色濃度調整部                        ２５：輝度調整部
４０：ＲＧＢ調整部                        ＨＳ：水平同期信号
ＨＳＹ：比較信号                          ＶＳ：垂直同期信号
【図１】
2007324698.tif 000003
【図２】
2007324698.tif 000004
【図３】
2007324698.tif 000005
【図４】
2007324698.tif 000006
【図５】
2007324698.tif 000007
【図６】
2007324698.tif 000008